(57)【特許請求の範囲】
【請求項１】
冷媒を圧縮する圧縮機周波数を変更可能な圧縮機、室外空気との間で熱交換する室外熱交換器、および冷媒を膨張する膨張弁が設けられた室外機と、
室内に設置され、室内空気との間で熱交換する室内熱交換器、室内熱交換器に向けて室内空気を供給する室内ファン、室内からの吸い込んだ室内空気の温度を検出する室内吸い込み空気温度センサー、室内からの吸い込んだ室内空気の湿度を検出する室内吸い込み空気湿度センサー、前記室内熱交換器の温度を検出する熱交換器温度センサー、および少なくとも前記圧縮機および前記室内ファンを制御する制御装置が設けられた室内機と、を有し、
前記制御装置は、前記室内吸い込み空気温度センサーが検出した空気温度（Ｔｉｎ）と予め設定された温度である設定温度（Ｔｓｅｔ）との差である空気温度差（ΔＴ）が、予め定められた値であるサーモ閾値（Ｔ１）よりも大きいとき、前記室内吸い込み空気湿度センサーが検出した空気湿度（Ｈｉｎ）と前記熱交換器温度センサーが検知した熱交換器温度（Ｔｅ）との関係から毎分回転数（Ｎｆ）を決定し、当該決定された毎分回転数（Ｎｆ）で前記室内ファンを回転した冷房運転を行い、
前記冷房運転において、前記空気温度差（ΔＴ）が、前記サーモ閾値（Ｔ１）よりも小さい予め定められた値であるファン閾値（Ｔ２）を超え、前記熱交換器温度センサーが検知した温度である熱交換器温度（Ｔｅ）が予め定められた温度である寒暖閾値（Ｔ３）を超え、かつ、前記空気湿度（Ｈｉｎ）が予め定められた湿度である乾湿閾値（Ｈ１）未満であるとき、前記室内ファンを停止し、
さらに、前記室内ファンを停止した後、熱交換器温度（Ｔｅ）と吸い込んだ室内空気の露点温度（Ｔｄｐ）との差を過冷却温度（ΔＴｅｄｐ）として、該過冷却温度（ΔＴｅｄｐ）が予め定めた温度である過冷却閾値（Ｔ４）未満である場合、または、前記室内ファンを停止してから予め定められた時間である再回転時間が経過している場合、前記室内ファンを再度回転することを特徴とする空気調和機。
【請求項２】
前記室内機は、前記室内の床面の温度を検出する床温度センサーを有し、
前記制御装置は、前記床温度センサーが検出した温度である床温度（Ｔｆ）と、前記空気温度（Ｔｉｎ）、および前記空気湿度（Ｈｉｎ）に基づいて、
Ｔａ＝Ｔｉｎ＋α×（Ｈｉｎ−６０）＋β×（Ｔｆ−Ｔｉｎ）、
αは、空気湿度Ｈｉｎを考慮する際の補正係数（デメンションは［℃／％］）、
βは、空気温度Ｔｉｎおよび床温度Ｔｆを考慮する際の補正係数、
から体感温度（Ｔａ）を求め、
前記空気温度（Ｔｉｎ）に代えて前記体感温度（Ｔａ）に基づいて、前記圧縮機および前記室内ファンを制御することを特徴とする請求項１記載の空気調和機。
【発明の詳細な説明】
【技術分野】
【０００１】
本発明は空気調和機、特に、除湿機能を有する空気調和機に関するものである。
【背景技術】
【０００２】
従来の除湿機能を備えた空気調和機として、容量可変の圧縮機と、熱源側熱交換器（室外熱交換に相当する）と、膨張機構と、風量可変の利用側ファン（室内ファンに相当する）を備えた利用側熱交換器（室内熱交換器に相当する）とを有し、制御装置が、まず、室温制御ループにおいて、室内吸込み空気温度が設定温度に近づくように圧縮機周波数を制御し、室内吸込み空気温度が設定温度も近づいた後に、湿度制御ループに切り替えて、圧縮機の周波数を増大させると同時に、室内送風機の毎分回転数を低下させ（風量を下げて）、顕熱能力を落として（冷房負荷を小さくして）、潜熱能力を確保し、冷えすぎ防止を図る空気調和機の運転制御装置が開示されている（例えば、特許文献１参照。）。
【先行技術文献】
【特許文献】
【０００３】
【特許文献１】特許第２９０９９５５号公報（第５−６頁、図６）
【発明の概要】
【発明が解決しようとする課題】
【０００４】
しかしながら、特許文献１に記載された空気調和機の運転制御装置では、室内吸込み空気温度が設定温度に到達したところで、湿度制御ループに切り替えて室内送風機の風量を落としている。そうすると、風量の低下によって吹出し空気温度が下がるため、吹き出し口の周囲の湿度が高い場合には、吹き出し口に結露が生じ易くなり、空調対象空間に結露水が落下する問題があった。
また、室内吸込み空気温度が低い場合、室内熱交換器の温度が下がり過ぎて０℃以下となるおそれがあり、室内熱交換器に付着した凝縮水が凍結して、室内熱交換器を破損するおそれがあるという問題があった。
【０００５】
本発明は、上記のような問題を解決するためになされたもので、冷え過ぎを抑えながら、吹き出し口の結露防止および室内熱交換器の凍結防止が図られた空気調和機を提供することを目的とする。
【課題を解決するための手段】
【０００６】
本発明に係る空気調和機は、冷媒を圧縮する圧縮機周波数を変更可能な圧縮機、室外空気との間で熱交換する室外熱交換器、および冷媒を膨張する膨張弁が設けられた室外機と、室内に設置され、室内空気との間で熱交換する室内熱交換器、室内熱交換器に向けて室内空気を供給する室内ファン、室内からの吸い込んだ室内空気の温度を検出する室内吸い込み空気温度センサー、室内からの吸い込んだ室内空気の湿度を検出する室内吸い込み空気湿度センサー、前記室内熱交換器の温度を検出する熱交換器温度センサー、および少なくとも前記圧縮機および前記室内ファンを制御する制御装置が設けられた室内機と、を有し、前記制御装置は、前記室内吸い込み空気温度センサーが検出した空気温度（Ｔｉｎ）と予め設定された温度である設定温度（Ｔｓｅｔ）との差である空気温度差（ΔＴ）が、予め定められた値であるサーモ閾値（Ｔ１）よりも大きいとき、前記室内吸い込み空気湿度センサーが検出した空気湿度（Ｈｉｎ）と前記熱交換器温度センサーが検知した熱交換器温度（Ｔｅ）との関係から毎分回転数（Ｎｆ）を決定し、当該決定された毎分回転数（Ｎｆ）で前記室内ファンを回転した冷房運転を行い、前記冷房運転において、前記空気温度差（ΔＴ）が、前記サーモ閾値（Ｔ１）よりも小さい予め定められた値であるファン閾値（Ｔ２）を超え、前記熱交換器温度センサーが検知した温度である熱交換器温度（Ｔｅ）が予め定められた温度である寒暖閾値（Ｔ３）を超え、かつ、前記空気湿度（Ｈｉｎ）が予め定められた湿度である乾湿閾値（Ｈ１）未満であるとき、前記室内ファンを停止し、さらに、前記室内ファンを停止した後、熱交換器温度（Ｔｅ）と吸い込んだ室内空気の露点温度（Ｔｄｐ）との差を過冷却温度（ΔＴｅｄｐ）として、該過冷却温度（ΔＴｅｄｐ）が予め定めた温度である過冷却閾値（Ｔ４）未満である場合、または、前記室内ファンを停止してから予め定められた時間である再回転時間が経過している場合、前記室内ファンを再度回転することを特徴とする。
【発明の効果】
【０００７】
本発明によれば、制御装置が、空気湿度（Ｈｉｎ）と熱交換器温度（Ｔｅ）との関係から毎分回転数（Ｎｆ）を決定し、当該決定された毎分回転数（Ｎｆ）で前記室内ファンを回転して冷房運転を行い、空気温度差（ΔＴ）がファン閾値（Ｔ２）を超え、熱交換器温度（Ｔｅ）が寒暖閾値（Ｔ３）を超え、かつ、空気湿度（Ｈｉｎ）が乾湿閾値（Ｈ１）未満であるとき、室内ファンを停止し、さらに、前記室内ファンを停止した後、過冷却温度（ΔＴｅｄｐ）が過冷却閾値（Ｔ４）未満である場合、または、前記室内ファンを停止してから再回転時間が経過している場合、室内ファンを再度回転する。
したがって、冷え過ぎを抑えることができると共に、吹出口の周辺における結露防止および室内熱交換器の凍結防止を図ることができる。
【図面の簡単な説明】
【０００８】
【図１】本発明の実施の形態１に係る空気調和機を説明するものであって、冷媒回路の構成を模式的に示す冷媒回路図。
【図２】本発明の実施の形態１に係る空気調和機の一部（室内機）を示す側面視の断面図。
【図３】本発明の実施の形態１に係る空気調和機を説明するものであって、一部（制御装置）の構成を示すブロック図。
【図４】本発明の実施の形態１に係る空気調和機を説明する制御フローを示すフローチャート。
【図５】本発明の実施の形態１に係る空気調和機を説明する制御フローを示すフローチャート。
【図６】本発明の実施の形態１に係る空気調和機を説明するものであって、空気温度差から決まる圧縮機周波数の値を示すテーブル。
【図７】本発明の実施の形態１に係る空気調和機を説明するものであって、空気湿度と熱交換器温度とから決まる室内ファンの毎分回転数の値（指数）を示すテーブル。
【図８】本発明の実施の形態１に係る空気調和機を説明するものであって、相対湿度と吸込み乾球温度とから決まる露点温度を示すテーブル。
【図９】本発明の実施の形態２に係る空気調和機を説明する一部（室内機）を示す側面視の断面図。
【発明を実施するための形態】
【０００９】
［実施の形態１］
図１〜図３は本発明の実施の形態１に係る空気調和機を説明するものであって、図１は冷媒回路の構成を模式的に示す冷媒回路図、図２は一部（室内機）を示す側面視の断面図、図３は一部（制御装置）の構成を示すブロック図である。なお、各図は模式的に示すものであって、本発明は図示された形態に限定されるものではない。
【００１０】
（冷媒回路）
図１において、空気調和機１００は、互いに冷媒配管によって接続された室外機１０と室内機２０とを有している。
室外機１０には、冷媒を圧縮する運転周波数（以下「圧縮機周波数」と称す）を変更可能な圧縮機１と、冷媒の流れ方向を変更するための四方弁２と、室外空気との間で熱交換する室外熱交換器３と、室外熱交換器３に向けて室外空気を供給する室外ファン４と、冷媒を膨張する膨張弁５とが設けられ、一方、室内機２０には、室内空気との間で熱交換する室内熱交換器６と、室内熱交換器６に向けて室内空気を供給する室内ファン７とが設けられている。
【００１１】
そして、室内を冷房する場合には、圧縮機１から吐出された冷媒は、四方弁２、室外熱交換器３、膨張弁５、室内熱交換器６の順に流れ、再度四方弁２を経由して圧縮機１に戻る冷媒回路が形成され、冷凍サイクルが実行される。
一方、室内を暖房する場合には、圧縮機１から吐出された冷媒は、四方弁２、室内熱交換器６、膨張弁５、室外熱交換器３の順に流れ、再度四方弁２を経由して圧縮機１に戻る冷媒回路が形成され、冷凍サイクルが実行される。
【００１２】
（室内機）
図２において、室内機２０は、室内９０の天井９１に形成された据付用凹部９２に据え付けられた「天井埋め込み型」であって、下面２２が開口した矩形状の筐体２１を具備し、筐体２１の天面２３の中央に室内ファンモータ７ａが設置され、室内ファンモータ７ａに室内ファン翼７ｂが固定され、室内ファンモータ７ａおよび室内ファン翼７ｂが室内ファン７を構成している。
そして、室内ファン翼７ｂを包囲するように室内熱交換器６が配置されている。このとき、室内熱交換器６は４つの部分に分けられ、かかる部分は、それぞれ筐体２１の側面２４（４面）に平行に配置され、側面２４との間に風路２５（４個所）が形成されている。
【００１３】
したがって、室内ファン７によって、開口した下面２２から吸引された室内空気は、室内熱交換器６を通過した後、風路２５を経由して、開口した下面２２の側面２４の近い範囲から室内９０に吹き出される。
なお、開口した下面２２には、矩形板状の化粧パネル２６が着脱自在に設置され、化粧パネル２６の側縁に沿って、風路２５に対応した位置に、吹出口２９が形成され、吹出口２９に包囲された形で、中央範囲に吸込口２７が形成されている。また、吸込口２７と室内ファン翼７ｂとの間には、室内空気を効率的に室内ファン翼７ｂに案内するラッパ状（朝顔状）のシュラウド２８が配置されている。
【００１４】
（センサー）
さらに、シュラウド２８には、吸い込んだ室内空気の温度を検出する室内吸い込み空気温度センサー（以下「空気温度センサー」と称す）３１と、吸い込んだ室内空気の湿度を検出する室内吸い込み空気湿度センサー（以下「空気湿度センサー」と称す）３２とが設置され、室内熱交換器６には、室内熱交換器６の温度を検出する室内熱交換器温度センサー（以下「熱交換器温度センサー」と称す）３３が設置されている。
そして、空気温度センサー３１、空気湿度センサー３２、および熱交換器温度センサー３３の検出結果に基づいて、室内ファン７の毎分回転数や圧縮機１の回転周波数を制御する制御装置３０が、室内機２０に設置されている。
なお、空気温度センサー３１および空気湿度センサー３２の設置は、吸い込んだ室内空気の温度および湿度を検出することができる位置であれば、何れの位置であってもよい。
また、制御装置３０を室外機１０に設置してもよい。
【００１５】
（制御装置）
制御装置３０は、空気温度センサー３１、空気湿度センサー３２、および熱交換器温度センサー３３の検出結果に基づいて、室内ファン７の毎分回転数Ｎｆや圧縮機１の圧縮機周波数Ｈｚを制御するものであって、下記制御フローに示す各ステップを実行するための手段（空気温度差ΔＴの演算手段、空気温度差ΔＴとサーモ閾値Ｔ１との比較手段、圧縮機周波数Ｈｚの決定手段、圧縮機１への回転または停止の指令手段、室内ファン７の毎分回転数Ｎｆの決定手段、空気温度差ΔＴとファン閾値Ｔ２との比較手段、空気湿度Ｈｉｎと乾湿閾値Ｈ１との比較手段、過冷却温度ΔＴｅｄｐの演算手段、過冷却温度ΔＴｅｄｐと過冷却閾値Ｔ４との比較手段、室内ファン７の停止時間と再回転時間との比較手段、空気温度差ΔＴと乾燥サーモ閾値Ｔ５との比較手段）を有している。
【００１６】
（制御フロー）
図４および図５は本発明の実施の形態１に係る空気調和機を説明する制御フローを示すフローチャートである。
図４および図５を用いて、空気調和機１００が冷房運転（室内熱交換器６に冷熱を供給して室内９０を冷却する）を行う際の、制御フロー（動作）について説明する。
空気調和機１００に電源が投入（ＯＮ）されると（Ｓ１）、空気温度センサー３１は室内吸い込み空気温度（以下「空気温度」と称す）Ｔｉｎの検出を、空気湿度センサー３２は室内吸い込み相対湿度（以下「空気湿度」と称す）Ｈｉｎの検出を、熱交換器温度センサー３３は室内熱交換器６の温度（以下「熱交換器温度Ｔｅ」と称す）の検出を、それぞれ開始する（Ｓ２）。
【００１７】
（サーモＯＦＦ）
そこで、空気温度Ｔｉｎと設定されている温度（以下「設定温度」と称す）Ｔｓｅｔとの空気温度差ΔＴを求め（Ｓ３）、空気温度差ΔＴと予め定めたサーモ閾値Ｔ１（例えば、１．５℃）との大小を比較する（Ｓ４）。
そして、空気温度差ΔＴがサーモ閾値Ｔ１以下のとき、すなわち、空気温度Ｔｉｎが設定温度Ｔｓｅｔに到達し、調和空気の吹出を必要としない場合、圧縮機１を停止（ＯＦＦ）したままにし（Ｓ５）、図示しないリモコン等によって、運転停止を指令する停止釦が押されない限り（Ｓ６）、空気温度Ｔｉｎ、空気湿度Ｈｉｎおよび熱交換器温度Ｔｅを検出するステップ（Ｓ２）に戻り、それ以降のステップを実行する。一方、停止釦が押されたときは、空気調和機１００の運転を停止する（ＥＮＤ）。なお、圧縮機１を停止（ＯＦＦ）することを「サーモＯＦＦ」と称す。
【００１８】
（サーモＯＮ）
一方、空気温度差ΔＴがサーモ閾値Ｔ１を超えるとき、すなわち、空気温度Ｔｉｎが設定温度Ｔｓｅｔに到達していない場合、圧縮機１を駆動する電力の周波数（以下「圧縮機周波数Ｈｚ」と称す）を、空気温度差ΔＴの大きさに応じて決定し（Ｓ７）、当該決定された圧縮機周波数Ｈｚで圧縮機１を回転（ＯＮ）する（Ｓ８）。なお、圧縮機１を起動（ＯＮ）することを「サーモＯＮ」と称す。
すなわち、圧縮機１を起動（ＯＮ）した場合には、圧縮機周波数Ｈｚを制御するインバータ制御を実施して、空気温度差ΔＴが大きい場合には、圧縮機周波数Ｈｚを大きくして空調能力を大きくし、反対に、空気温度差ΔＴが小さい場合には、圧縮機周波数Ｈｚを小さくして空調能力を小さくしている（図６参照）。
【００１９】
（湿度判定：高湿度の場合）
そこで、空気湿度Ｈｉｎが高湿度（例えば、７８％）を超えているか否かを判定する（Ｓ９）。
そして、高湿度であると判定された場合には、室内ファン７の毎分回転数Ｎｆを、空気湿度Ｈｉｎと熱交換器温度Ｔｅとの関係から予め定められた毎分回転数Ｎｆ（図７参照）に決定し（Ｓ１０）、当該決定された毎分回転数Ｎｆで室内ファンモータ７ａを回転する（Ｓ１１）。そして、図示しないリモコン等によって、運転停止を指令する停止釦が押されない限り（Ｓ１２）、空気温度Ｔｉｎ、空気湿度Ｈｉｎおよび熱交換器温度Ｔｅを検出するステップ（Ｓ２）に戻り、それ以降のステップを実行する。一方、停止釦が押されたときは、空気調和機１００の運転を停止する（ＥＮＤ）。
【００２０】
（湿度判定：低湿度の場合）
一方、低湿度であると判定された場合には、室内ファン７の毎分回転数Ｎｆを、空気湿度Ｈｉｎと熱交換器温度Ｔｅとの関係から予め定められた毎分回転数Ｎｆ（図６参照）に決定し（Ｓ１３）、当該決定された毎分回転数Ｎｆで室内ファンモータ７ａを回転する（Ｓ１４）。
そこで、空気温度Ｔｉｎ、空気湿度Ｈｉｎおよび熱交換器温度Ｔｅを検出し（Ｓ１５）、空気温度差ΔＴ（ΔＴ＝Ｔｉｎ−Ｔｓｅｔ）を求める（Ｓ１６）。
【００２１】
（室内ファンの停止）
次に、空気温度差ΔＴが予め定めたファン閾値Ｔ２（例えば、１．０℃）を超え（ΔＴ＞１．０℃）、熱交換器温度Ｔｅが予め定めた寒暖閾値Ｔ３（例えば、１．０℃）を超えて比較的暖かく（例えば、Ｔｅ＞８℃）、さらに空気湿度Ｈｉｎが予め定めた乾湿閾値Ｈ１（例えば、６８％）未満で比較的乾燥している（例えば、Ｈｉｎ＜６８％）場合には（Ｓ１７）、室内ファン７を停止する（Ｓ１８）。
一方、前記条件（「ΔＴ＞Ｔ２」かつ「Ｔｅ＞Ｔ３」かつ「Ｈｉｎ＜Ｈ１」）を満たさない場合、室内ファン７の回転を継続して、空気温度Ｔｉｎ、空気湿度Ｈｉｎおよび熱交換器温度Ｔｅを検出するステップ（Ｓ１３）に戻り、それ以降のステップを実行する。
【００２２】
（室内ファンの再回転）
さらに、室内ファン７を停止したところで（Ｓ１８）、空気温度Ｔｉｎ、空気湿度Ｈｉｎおよび熱交換器温度Ｔｅを検出し（Ｓ１９）、吸い込んだ室内空気の露点温度Ｔｄｐ、および熱交換器温度Ｔｅと露点温度Ｔｄｐとの差（以下「過冷却温度」と称す）ΔＴｅｄｐ（ΔＴｅｄｐ＝Ｔｅ−Ｔｄｐ）を演算する（Ｓ２０）。なお、露点温度Ｔｄｐは、空気線図から得られる近似式によって計算しても良いし、例えば、図８に示すようなテーブル（空気温度（乾球温度）Ｔｉｎおよび空気湿度（相対湿度）Ｈｉｎに対して整理されている）によって判定しても良い。
【００２３】
そこで、過冷却温度ΔＴｅｄｐが予め定めた過冷却閾値Ｔ４（例えば、−３．０℃）未満、あるいは、室内ファン７の停止（Ｓ１８）から、予め定めた再回転時間（例えば、３０秒）を経過した場合（Ｓ２１）、室内熱交換器６の凍結を防止する目的で、室内ファン７を再度回転する（Ｓ２２）。
そして、空気温度Ｔｉｎを検出して（Ｓ２３）、空気温度差ΔＴを求め（Ｓ２４）、空気温度差ΔＴと予め定めた乾燥サーモ閾値Ｔ５（例えば、−０．５℃）との大小を比較する（Ｓ２５）。
【００２４】
そこで、空気温度差ΔＴが乾燥サーモ閾値Ｔ５以下のとき、すなわち、空気温度Ｔｉｎが設定温度Ｔｓｅｔよりも低温になった場合、圧縮機１を停止（ＯＦＦ）する（Ｓ２６）。そして、停止釦が押されない限り、空気温度Ｔｉｎ、空気湿度Ｈｉｎおよび熱交換器温度Ｔｅを検出するステップ（Ｓ２）に戻り、それ以降のステップを実行する。
一方、空気温度差ΔＴが乾燥サーモ閾値Ｔ５超えのとき、すなわち、空気温度Ｔｉｎが設定温度Ｔｓｅｔに到達したか、僅かに設定温度Ｔｓｅｔより低い場合、室内ファン７の毎分回転数Ｎｆを、空気湿度Ｈｉｎと熱交換器温度Ｔｅとの関係から予め定められた毎分回転数Ｎｆ（図６参照）に決定するステップ（Ｓ１３）に戻り、それ以降のステップを実行する。
【００２５】
（圧縮機周波数）
図６〜図８は本発明の実施の形態１に係る空気調和機を説明するものであって、図６は空気温度差から決まる圧縮機周波数の値を示すテーブル、図７は空気湿度と熱交換器温度とから決まる室内ファンの毎分回転数Ｎｆの値（指数）を示すテーブル、図８は相対湿度と吸込み乾球温度とから決まる露点温度を示すテーブルである。
図６において、空気温度差ΔＴが大きいほど、毎分回転数Ｎｆを大きくし、室内空気の冷房を促進している。そして、空気温度差ΔＴが乾燥サーモ閾値Ｔ５（例えば、−０．５）になったところで、圧縮機１を停止している。
【００２６】
（毎分回転数）
図７において、熱交換器温度Ｔｅが最も低温で、空気湿度Ｈｉｎが最も高湿度の場合の、室内ファン７の毎分回転数Ｎｆを「１００」と、熱交換器温度Ｔｅを４水準に区分し、かつ、熱交換器温度Ｔｅを５水準に区分して、それぞれの区分における室内ファン７の毎分回転数Ｎｆを前記「１００」に対する指数によって表示している。
すなわち、高湿度であると判定された場合（７８％＜Ｈｉｎ）、低湿度であると判定された（Ｈｉｎ≦７８％）場合に比較して、室内ファン７の毎分回転数Ｎｆは大きくなり、空気湿度Ｈｉｎが高くなるほど、室内ファン７の略段階的に大きくなっている。また、同じ空気湿度Ｈｉｎにおいては、熱交換器温度Ｔｅが低い程、室内ファン７の毎分回転数Ｎｆは大きくなっている。
ここで、空気湿度Ｈｉｎの乾湿閾値Ｈ１は、試験により結露しないような湿度と風量の関係を把握してテーブル（図６）を作成している。また、熱交換器温度Ｔｅの閾値は、下限側は、室内熱交換器６が凍結しないように「０℃」に余裕を持たせた「４℃」を下限とするようにして、可能な限り潜熱能力を確保するべく室内熱交換器６の温度を下げる方向で設定している。
【００２７】
（露点温度）
図８は、数式に代えて、相対湿度と吸込み乾球温度とから決まる露点温度の値をテーブルで示したものであって、相対湿度（空気湿度Ｈｉｎに相違等する）が高く（高湿）なる程、また、吸込み乾球温度（空気温度Ｔｉｎに相違）が高く（高温）なるほど、露点温度（Ｔｄｐ）の値が高くなっている。
【００２８】
（作用効果）
空気調和機１００は、「Ｔ＞１．０℃」かつ「Ｔｅ＞８℃」かつ「Ｈｉｎ＜６８％」を満足する場合に、室内ファン７を停止している（Ｓ１８）のは、低湿度かつ室内熱交換器６の凍結のおそれが無く、空気温度差ΔＴ（空気温度Ｔｉｎと設定温度Ｔｓｅｔの差）が小さい場合に、さらに顕熱能力を落として除湿を行なうために、圧縮機１の運転を継続しながら、室内ファン７を停止することで、熱交換器温度Ｔｅをさらに下げている。すなわち、室内ファン７が停止している時には、室内熱交換器６において、吸込み空気との間で熱交換しないため、除湿できないが、室内ファン７を運転する際に熱交換器温度Ｔｅが下がっているため、小さな風量でも潜熱能力を確保することができる。
【００２９】
さらに、一旦、停止した室内ファン７を再度回転させている（Ｓ２２）のは、熱交換器温度Ｔｅが露点温度Ｔｄｐより小さく（より低温に）保つことで、室内空調負荷が小さい時でも潜熱能力を確保することが可能となり、さらに、時間条件も設けることで、万が一、熱交換器温度センサー３３が故障していた場合であっても、室内熱交換器６が凍結することを防止することができる。
【００３０】
以上のように、空気調和機１００は、空気温度Ｔｉｎ、空気湿度Ｈｉｎおよび熱交換器温度Ｔｅを検知して、これらに基づいて圧縮機周波数および室内ファン７の毎分回転数を制御するようにしているので、室内負荷が小さい時にでも潜熱能力を確保することができ、さらに、露点温度Ｔｄｐを求めて、露点温度Ｔｄｐと熱交換器温度Ｔｅとを比較することによって室内ファン７を再回転しているから、結露防止や熱交換器の凍結のおそれを防止を図ることができる。
【００３１】
［実施の形態２］
図９は本発明の実施の形態２に係る空気調和機を説明する一部（室内機）を示す側面視の断面図である。なお、実施の形態１と同じ部分または相当する部分には同じ符号を付し、一部の説明を省略する。また、図９は模式的に示すものであって、本発明は図示された形態に限定されるものではない。
図９において、空気調和機２００の室内機２２０には、実施の形態１における室内機２０の化粧パネル２６に、室内９０の床面（図示しない）の温度を検知する床温度センサー３４が備えたものである。
【００３２】
（床温度センサー）
床温度センサー３４は、床面から発する赤外線を検知して、非接触で床面の温度（以下「床温度Ｔｆ」と称す）を検出するサーモパイル形であるが、本発明は、その型式や形状等を限定するものではない。
【００３３】
（体感温度）
ところで、人体が感じる体感温度には、周囲の空気温度に加え、空気の湿度や、床面ないし壁面から得られる輻射温度が大きく影響する。このため、空気調和機２００は、空気調和機（実施の形態１）１００の制御装置３０が、空気温度Ｔｉｎ等に基づいて制御をしていたのに対し、空気調和機（実施の形態２）２００の制御装置３０は、空気温度Ｔｉｎに代えて、体感温度Ｔａを用いるものである。
すなわち、体感温度Ｔａは、空気温度Ｔｉｎ、空気湿度Ｈｉｎ、床温度Ｔｆの函数である式「Ｔａ＝Ｔｉｎ＋α×（Ｈｉｎ−６０）＋β×（Ｔｆ−Ｔｉｎ）」で求められる。
このとき、αは空気湿度Ｈｉｎを考慮する際の補正係数（デメンションは［℃／％］）で、βは、空気温度Ｔｉｎおよび床温度Ｔｆを考慮する際の補正係数であり、試験により快適性指標から考慮した０から１の値を入れる（０＜α＜１．０、０＜β＜１．０）。
【００３４】
例えば、αが０．００３［℃／％］で、βが０．２５であるとして、具体的な数値を用いて効果を説明する。Ｔｉｎ＝２６℃、Ｈｉｎ＝５０％、Ｔｆ＝２５℃のとき、Ｔａ＝２５．４５℃となる。これは空気湿度Ｈｉｎが低く、輻射温度(床温度Ｔｆ)が低い場合、周囲の空気温度Ｔｉｎよりも体感温度Ｔａは低く感じるように補正を加えた結果となっている。すなわち、この場合、体感温度Ｔａを用いることによって空気温度差ΔＴは、空気温度Ｔｉｎを用いる場合よりも小さくなる（（Ｔａ−Ｔｓｅｔ）＜（Ｔｉｎ−Ｔｓｅｔ））。
したがって、このように補正された体感温度Ｔａを、空気調和機１００における空気温度Ｔｉｎの代わりに用いることで、前述の通り、圧縮機１の圧縮機周波数Ｈｚは、低めの温度で制御することにより、圧縮機１の運転時間を短く、または圧縮機周波数を小さくすることができるため、省エネの運転が可能となる。
【００３５】
反対に、αが０．００３［℃／％］で、βが０．２５であるとして、Ｔｉｎ＝２６℃，Ｈｉｎ＝７０％，Ｔｆ＝２７℃のとき、体感温度Ｔａは２６．５５℃となる。空気湿度Ｈｉｎが高くなる。すなわち、この場合、体感温度Ｔａを用いることによって空気温度差ΔＴは、空気温度Ｔｉｎを用いる場合よりも大きくなる（（Ｔａ−Ｔｓｅｔ）＞（Ｔｉｎ−Ｔｓｅｔ））。
したがって、空気湿度Ｈｉｎが高く、床温度Ｔｆも高いため、実際の空気温度Ｔｉｎよりも不快に感じるために、体感温度Ｔａは空気温度Ｔｉｎよりも高く補正している。この体感温度Ｔａに基づいて制御することにより、より快適な運転が可能となる。
【００３６】
（制御装置）
空気調和機２００の制御装置３０は、空気調和機１００の制御装置３０（図３参照）に床温度センサー３４を接続し、体感温度Ｔａの演算手段と、空気温度Ｔｉｎの体感温度Ｔａへの置き換え手段とを具備するものに同じであるから、図示を省略する。
【符号の説明】
【００３７】
１  圧縮機、２  四方弁、３  室外熱交換器、４  室外ファン、５  膨張弁、６  室内熱交換器、７  室内ファン、７ａ  室内ファンモータ、７ｂ  室内ファン翼、１０  室外機、２０  室内機、２１  筐体、２２  下面、２３  天面、２４  側面、２５  風路、２６  化粧パネル、２７  吸込口、２８  シュラウド、２９  吹出口、３０  制御装置、３１  空気温度センサー、３２  空気湿度センサー、３３  熱交換器温度センサー、３４  床温度センサー、９０  室内、９１  天井、９２  据付用凹部、１００  空気調和機（実施の形態１）、２００  空気調和機（実施の形態２）、２２０  室内機（実施の形態２）。
【図１】
0005975937.tif 000002
【図２】
0005975937.tif 000003
【図３】
0005975937.tif 000004
【図４】
0005975937.tif 000005
【図５】
0005975937.tif 000006
【図６】
0005975937.tif 000007
【図７】
0005975937.tif 000008
【図８】
0005975937.tif 000009
【図９】
0005975937.tif 000010